(57)【要約】【課題】複雑な構造を必要とすることなく、時間が経っても圧着したワイヤーとワイヤー留め金具との間に緩みがでない取付強度の高いワイヤー留め金具を提供すること。【解決手段】  ワイヤー留め金具１０は、その内面に螺子山１２が形成されており、かしめ工具によりプレスしたときにこの螺子山１２が上下方向からワイヤーに咬持してこれを圧着する。このように、ワイヤー留め金具１０はその内面に螺子山１２を形成したことで、従来技術と比べてワイヤーの取付強度を格段に向上させることができる。【選択図】      図１
0003106970.tif 000002
【実用新案登録請求の範囲】
【請求項１】
ワイヤーを通す挿通孔が形成され、この挿通孔にワイヤーを挿通した状態で圧着することで前記ワイヤーを挟持するワイヤー留め金具において、
前記挿通孔の内面には凹凸が形成され、圧着したときにこの凹凸が前記ワイヤーを咬持することを特徴とするワイヤー留め金具。
【請求項２】
ワイヤーを通す挿通孔が形成され、この挿通孔にワイヤーを挿通した状態で圧着することで前記ワイヤーを挟持する略円筒形状のワイヤー留め金具において、
前記挿通孔の内面には螺子山が形成されており、圧着したときにこの螺子山が前記ワイヤーを咬持することを特徴とするワイヤー留め金具。
【請求項３】
ワイヤーと、このワイヤーを挿通孔に折り返して通した状態で圧着固定することによりリング状の輪を少なくとも一端に形成するワイヤー留め金具とを有する吊り下げワイヤーにおいて、
前記ワイヤー留め金具の挿通孔内面には凹凸が形成され、圧着したときに前記凹凸が前記ワイヤーを咬持した状態で前記ワイヤー留め金具が圧着固定されることを特徴とする吊り下げワイヤー。
【請求項４】
ワイヤーと、このワイヤーを挿通孔に折り返して通した状態で圧着固定することによりリング状の輪を少なくとも一端に形成する略円筒形のワイヤー留め金具とを有する吊り下げワイヤーにおいて、
前記ワイヤー留め金具の挿通孔の内面には螺子山が形成されており、圧着したときに前記螺子山が前記ワイヤーを咬持した状態で前記ワイヤー留め金具が圧着固定されることを特徴とする吊り下げワイヤー。
【考案の詳細な説明】
【技術分野】
【０００１】
本考案は、ワイヤー留め金具およびこれを用いた吊り下げワイヤー、特に例えば小物装飾品等に適用されるワイヤー留め金具および吊り下げワイヤーに関する。
【背景技術】
【０００２】
吊り下げワイヤは、その手軽さや価格面から、例えばネックレスやハンドバックまたは携帯電話機のストラップ等の小物装飾品等に用いられている。図５はこの種の吊り下げワイヤを用いた小物装飾品の一例を示した従来技術の斜視図である。
【０００３】
小物装飾品６５は、ワイヤー３０に中空洞の球形ビーズ４０が挿通された装飾品であり、折り返されたワイヤー３０の折り返し端にリング状の輪３２が形成されるようにワイヤー留め金具６０がかしめ加工により圧着されている。また、この輪３２にはリング状の取付金具２０が取り付けられ、これにより装飾品６５がハンドバック等の所望の物に取り付けられる。
【０００４】
図４は従来技術のワイヤー留め金具６０を図示した部分断面斜視図(A)と正面図(B)を示している。ワイヤー留め金具６０は、円筒形であり、その内面６２は凹凸のない平面になっている。ワイヤー３０にワイヤー留め金具６０を取り付ける場合、ワイヤー留め金具６０の挿通孔６４に図５に示したようにワイヤ３０を折り返して通し、工具によりプレスして圧着する。
【考案の開示】
【考案が解決しようとする課題】
【０００５】
しかしながら、従来技術のワイヤー留め金具６０では、球形ビーズ４０等の重さにより、時間が経つにつれて圧着したワイヤー３０とワイヤー留め金具６０との間に緩みができ、この留め金具６０がずれてしまうことがあった。すなわち、ワイヤー留め金具６０では、安価に取り付けられるという利点はあるが、軽量の球形ビーズ４０であっても、長時間の使用においてそのワイヤー３０を把持する強度が十分ではなかったという問題があった。また、取付強度を増すためにその構造を複雑なものにした場合、製造コストが高くなり、安価に使用できるというワイヤー留め金具の利点が損なわれるという問題が生じる。
【０００６】
本考案はこのような従来技術の課題を解決し、複雑な構造を必要とすることなく、時間が経っても圧着したワイヤーとワイヤー留め金具との間に緩みがでない取付強度の高いワイヤー留め金具を提供することを目的とする。
【課題を解決するための手段】
【０００７】
本考案は上記課題を解決するための手段として、請求項１に記載された考案は、ワイヤーを通す挿通孔が形成され、この挿通孔にワイヤーを挿通した状態で圧着することで前記ワイヤーを挟持するワイヤー留め金具において、前記挿通孔の内面には凹凸が形成され、圧着したときにこの凹凸が前記ワイヤーを咬持するワイヤー留め金具であることを特徴とする。請求項２に記載された考案は、ワイヤーを通す挿通孔が形成され、この挿通孔にワイヤーを挿通した状態で圧着することで前記ワイヤーを挟持する略円筒形状のワイヤー留め金具において、前記挿通孔の内面には螺子山が形成されており、圧着したときにこの螺子山が前記ワイヤーを咬持するワイヤー留め金具であることを特徴とする。請求項３に記載された考案は、ワイヤーと、このワイヤーを挿通孔に折り返して通した状態で圧着固定することによりリング状の輪を少なくとも一端に形成するワイヤー留め金具とを有する吊り下げワイヤーにおいて、前記ワイヤー留め金具の挿通孔内面には凹凸が形成され、圧着したときに前記凹凸が前記ワイヤーを咬持した状態で前記ワイヤー留め金具が圧着固定される吊り下げワイヤーであることを特徴とする。請求項４に記載された考案は、ワイヤーと、このワイヤーを挿通孔に折り返して通した状態で圧着固定することによりリング状の輪を少なくとも一端に形成する略円筒形のワイヤー留め金具とを有する吊り下げワイヤーにおいて、前記ワイヤー留め金具の挿通孔の内面には螺子山が形成されており、圧着したときに前記螺子山が前記ワイヤーを咬持した状態で前記ワイヤー留め金具が圧着固定される吊り下げワイヤーであることを特徴とする。
【考案の効果】
【０００８】
以上、詳細に説明したように本考案によるワイヤー留め金具によれば、複雑な構造を用いずにワイヤーの取付強度が従来技術に比べて格段に向上させることが可能となる。このため、これを適用した吊り下げワイヤーを用いた小物装飾品の品質を向上させることが可能となる。また、取付強度が増したため、従来では重量的に使用できなかった宝石のような装飾物も使用可能となる。
【考案を実施するための最良の形態】
【０００９】
以下、本考案によるワイヤー留め金具およびこれを用いた吊り下げワイヤーの実施の形態を図面を用いて説明する。図１は本考案によるワイヤー留め金具１０の第１の実施の形態を示した部分断面斜視図(A)と正面図(B)である。
【００１０】
ワイヤー留め金具１０は円筒形の形状であり、その材質は例えばアルミニウム、真鍮、銅、ステンレス等の金属や、プラチナ、金、銀等の貴金属である。ワイヤー留め金具１０の内面には螺子山１２が形成されており、その中空部がワイヤーが挿通される挿通孔１４になっている。
【００１１】
図２は図１に示したワイヤー留め金具を使用した小物装飾品の一例を示した斜視図である。小物装飾品１５は、折り返されたワイヤー３０に装飾用の中空洞の球形ビーズ４０が通されている装飾品であり、例えばハンドバックや鞄等、使用者の嗜好により所望の物にアクセサリとして取り付けられる。
【００１２】
球形ビーズ４０は、折り返し通されたワイヤー３０内を自由に移動できるように挿通されており、図１に示したワイヤー留め金具１０に係止されている。ワイヤー留め金具１０は、リング状の取付金具２０をワイヤー３０に取り付ける輪３２を形成する留め具であり、かしめ工具または圧着工具等によりプレスすることで板状の形状になってワイヤー３０を挟持した状態で圧着する。
【００１３】
すなわちワイヤー３０は、図２に示すように、取付金具２０の本体２２に対して垂直に一体成形された輪環２８に挿通されて輪３２が形成され、ワイヤー留め金具１０の中に挟み込まれた状態で圧着される。取付金具２０は、小物装飾品１５をハンドバック等の所望の物に取り付けるため取付具であり、リング状の本体２２には矢印Ｓの方向に摺動可能なレバー２４を備えている。
【００１４】
レバー２４は矢印Ｓと反対方向にバネ等により付勢されており、これを矢印Ｓ方向に動かすと、これと反対側に位置する閉門部２６が矢印Ｔ方向に動いて本体２２に収納される。この操作により、閉門部２６の収納された部分が空隙となるのでそこからハンドバック等の所望の物に取り付けることが可能となる。
【００１５】
ワイヤー留め金具１０は、図１に示したように、その内面に螺子山１２が形成されており、かしめ工具や圧着工具等によりプレスしたときにこの螺子山１２が上下方向からワイヤー３０を咬持した状態で圧着する。このように、ワイヤー留め金具１０はその内面に螺子山１２を形成したことで、螺子山１２がワイヤー３０に食い込むので従来技術と比べてワイヤー３０の取付強度が格段に向上する。このため、時間が経過しても留め金具１０が緩んでワイヤー３０間を移動してしまうことがない。
【００１６】
図３は本考案によるワイヤー留め金具の第２の実施の形態を示した部分断面斜視図(A)と正面図(B)である。このワイヤー留め金具５０は、その内面５２に無数の突起５４が形成されている。ワイヤー留め金具５０は、挿通孔５６にワイヤー３０が挿通されてプレスされると、内面５２の突起５４によりワイヤー３０が咬持される。このため、第２の実施の形態の場合も、従来技術と比べてワイヤー３０への取付強度を格段に向上させることができるので、長時間の使用においてもワイヤー留め金具５０が緩んでしまうということがない。
【００１７】
以上の如く、本考案の実施の形態を図面を用いて説明したが、本考案は特にこれら実施の形態に限定されるものではなく、本考案の精神を逸脱しない種々の変形は本考案の範疇に含まれる。すなわち、本考案はワイヤー３０が圧着されるワイヤー留め金具の挿通孔の内面に凹凸を形成することで、ワイヤー３０の取付強度を格段に向上させたことにある。したがって、上記で説明した実施の形態のようにワイヤー留め金具の形状は特に円筒形に限定されるものではなく、角柱等の形状やその他の形状であってもよい。
【図面の簡単な説明】
【００１８】
【図１】本考案によるワイヤー留め金具の第１の実施の形態を示す部分断面斜視図(A)と正面図(B)である。
【図２】図１に示したワイヤー留め金具を使用した小物装飾品の一例を示した斜視図である。
【図３】本考案によるワイヤー留め金具の第２の実施の形態を示す部分断面斜視図(A)と正面図(B)である。
【図４】従来技術によるワイヤー留め金具の部分断面斜視図(A)と正面図(B)である。
【図５】従来技術によるワイヤー留め金具を使用した小物装飾品の斜視図である。
【符号の説明】
【００１９】
１０，５０  ワイヤー留め金具
１２  螺子山
１４，５６  挿通孔
１５  小物装飾品
３０  ワイヤー
２０  取付金具
５４  突起
【図１】
0003106970.tif 000003
【図２】
0003106970.tif 000004
【図３】
0003106970.tif 000005
【図４】
0003106970.tif 000006
【図５】
0003106970.tif 000007